(57)【要約】【課題】車両に備えるウィンドガラスの昇降を乗員の直感的な操作で調節することのできるウィンドガラス昇降システムを提供することを目的とする。【解決手段】車両に備えるウィンドガラスの昇降を行うウィンドレギュレータと、ウィンドレギュレータの昇降を操作する操作装置と、操作装置の操作を演算しウィンドレギュレータの昇降を制御する演算制御装置とで構成するウィンドガラス昇降システムであって、操作装置は、指又は座標指示器によって接触操作を検知するタッチパネルを備えることで、乗員の直感的な操作でウィンドガラスを昇降することが可能となる。【選択図】図１
2012092635.tif 000002
【特許請求の範囲】
【請求項１】
ウィンドガラスの昇降を行うウィンドレギュレータと、
該ウィンドレギュレータの昇降を操作する操作装置と、
該操作装置の操作量を演算し前記ウィンドレギュレータの昇降量を制御する演算制御装置とで構成するウィンドガラス昇降システムであって、
前記操作装置は、指又は座標指示器の接触操作を検知する押下検出手段と、
該押下検出手段で操作されたことを情報として処理する座標処理手段とを備えるタッチパネルを設け、該タッチパネルの操作により前記ウィンドレギュレータの駆動を制御することを特徴とするウィンドガラス昇降システム。
【発明の詳細な説明】
【技術分野】
【０００１】
本発明は、車両に備えるウィンドガラスの昇降を操作するウィンドガラス昇降システムに関する。
【背景技術】
【０００２】
従来、車両に備えるウィンドガラスの昇降を操作するウィンドガラス昇降システムにおいて、例えば、特許文献１に記載するパワーウインドウ装置が提案されている。
【０００３】
このパワーウインドウ装置は、車両の所定の座席に対応した窓ガラスを昇降させて座席の側方を開閉する第１駆動手段と、所定の座席とは別の座席に対応した窓ガラスを昇降させて別の座席の側方を開閉する第２駆動手段と、各駆動手段の昇降量を略車両の前後方向及び略車両の左右方向の少なくとも何れか１つの向きへ初期位置から移動可能で且つ初期位置にある状態及び初期位置から移動した状態の双方で略車両の上下方向で制御する操作部材と、所定の座席及び別の座席を含む車両の座席の何れか１つに対応して設けられた操作手段と、第１駆動手段と第２駆動手段の各々が電気的に接続されると共に操作手段が電気的に接続され操作部材の位置で第１駆動手段又は第２駆動手段の制御を行う制御装置を備え、操作部材の上下の動きで駆動手段を駆動し窓ガラスの昇降を行っている。
【先行技術文献】
【特許文献】
【０００４】
【特許文献１】特開２００９−２９９４１７号
【発明の概要】
【発明が解決しようとする課題】
【０００５】
上記に示すパワーウインドウ装置では、操作部材を上下に動かすことでウィンドガラスの昇降を実現している。しかし、この操作部材を上下に動かす操作手段では、ウィンドガラスの細かな昇降の調節は難しく、任意の位置までウィンドガラスを昇降させる為には、操作部材を繰り返し操作しなければならない。また、操作部材は、ウィンドガラスが任意の位置まで移動する間、操作を続ける必要がある。
【０００６】
本発明は、上記の課題を解決するためになされたものであって、車両に備えるウィンドガラスの昇降を乗員の直感的な操作で調節することのできるウィンドガラス昇降システムを提供することを目的とする。
【課題を解決するための手段】
【０００７】
ウィンドガラスの昇降を行うウィンドレギュレータと、ウィンドレギュレータの昇降を操作する操作装置と、操作装置の操作量を演算しウィンドレギュレータの昇降量を制御する演算制御装置とで構成するウィンドガラス昇降システムであって、操作装置は、指又は座標指示器によって接触操作を検知するタッチパネルを備えることを技術的特徴とするウィンドガラス昇降システム。
【発明の効果】
【０００８】
請求項１記載のウィンドガラス昇降システムによれば、操作装置に備えるタッチパネルを操作することで、ウィンドレギュレータの駆動を制御することが可能となり、ウィンドガラスの昇降を乗員の直感的な操作で調節することが可能となる。
【図面の簡単な説明】
【０００９】
【図１】ウィンドガラス昇降システムを示す図である。
【図２】ウィンドガラスを任意の位置で停止させる動作を示す図であって、（Ａ）ウィンドガラス閉鎖時、（Ｂ）任意の位置を選択した時を示す。
【図３】閉鎖しているウィンドガラスを最も下の位置まで開放する動作を示す図であって、(Ａ)ウィンドガラス閉鎖時、（Ｂ）ウィンドガラス開放時を示す。
【発明を実施するための最良の形態】
【００１０】
以下に本発明の実施形態について図面を用いて説明する。
本発明は、図１に示すように、車両に備えるウィンドガラス２１ａの昇降を操作するウィンドガラス昇降システム１０にであって、ウィンドガラスの昇降を行うウィンドレギュレータ２０と、ウィンドレギュレータ２０の昇降を操作する操作装置３０と、操作装置３０の操作量を演算しウィンドレギュレータ２０の昇降量を制御する演算制御装置４０とで構成されている。
【００１１】
ウィンドレギュレータ２０は、車両のドアパネルに固定されウィンドガラス２１ａの昇降を行う機構であって、ウィンドガラス２１ａを保持しドアパネル１００に対して昇降可能な可動レール２１と、可動レール２１内部に備えられ可動レール２１を摺動するスライダー２２と、スライダー２２を可動レール２１に沿って摺動させ可動レール２１の昇降を行うリフトアーム２３と、リフトアーム２３の動作を規制する固定レール２６から構成される。
【００１２】
可動レール２１は、ウィンドガラス２１ａを保持し後述するリフトアーム２３に有するメインアーム２３ａとサブアーム２３ｂに架け渡ように設けてあって、断面を略Ｃ字状に形成し、開口部をリフトアーム２３に備えるシャフトが摺動する。この可動レール２１は、リフトアーム２３が動作することで、車両のドアパネル１００に対してウィンドガラス２１ａを昇降する。
【００１３】
スライダー２２は、合成樹脂等の素材から形成されリフトアーム２３に備えるシャフトに設けられる。また、スライダー２２は、可動レール２１及び後述する固定レール２６を摺動する際に生じる上下方向及び左右方向のガタを緩和する板バネを備え、リフトアーム２３が動作することで、可動レール２１及び固定レール２６の開口部を摺動する。
【００１４】
リフトアーム２３は、可動レール２１ａの昇降を行うアームであって、メインアーム２４とサブアーム２５から構成されている。ここで、メインアーム２４は、一端に貫通孔２４ａを形成し、この貫通孔２４ａを貫通してセクタギヤ２４ｂと、モータの回転数を把握するパルスセンサを有しセクタギヤ２４ｂを回転する昇降モータ２４ｃとを備え、もう一端に可動レール２１及び固定レールを摺動するシャフト２４ｄを有し、シャフト２４ｄの先端にスライダー２２を設ける。サブアーム２５は、メインアーム２４と共に可動レール２１を昇降するアームであって、メインアーム２４の略中央部に回動自在にＸ字状に組みつけられ、一端に可動レール２１、もう一端に固定レールをそれぞれシャフト２４ｄ及びスライダー２２を介して備える。また、このサブアーム２５は昇降モータ２４ｃがメインアーム２４を駆動することで可動レール２１を昇降動作するように動作を行う。
【００１５】
固定レール２６は、リフトアーム２３の動きを規制するためのレールであって、車両のドアパネル１００に固定される。この固定レール２６は、可動レール２１と同様に断面を略Ｃ字状に形成し開口部をサブアーム２５に有するシャフト２４ｄ及びスライダー２２が摺動する。
【００１６】
ここで、本実施例では上記に記載するウィンドレギュレータ２０を使用して説明を行うが、本発明はこれに限らず、ウィンドガラス２１ａを固定する昇降キャリアと、昇降キャリアが摺動するガイドレールと、ガイドレールに沿って昇降キャリアの昇降を行うインナーケーブルと、インナーケーブルの進退動作を行う昇降モータなどにより構成するウィンドレギュレータ２０やその他の構造のウィンドレギュレータ２０を使用しても良い。
【００１７】
操作装置３０は、ウィンドレギュレータ２０の昇降を操作する装置であって、ドアパネル内側の乗員が操作しやすい位置に接触操作を検知するタッチパネル３１を設ける。このタッチパネル３１は、押下座標を検知する押下検出手段３１ａと、押下検出手段３１ａで検出された座標を処理する座標処理手段３１ｂとを備え、本実施例では静電容量式のものを使用する。
【００１８】
ここで、本実施例では上記に記載するタッチパネル３１を使用して説明を行うが、本発明はこれに限らず、画像を表示する画像表示手段を備え、表示内容の位置を触れることでウィンドレギュレータ２０の昇降を操作することができるものを使用しても良い。
【００１９】
押下検出手段３１ａは、タッチパネル３１が指などによって押下されたのを検出する手段であって、触れられた画面位置の情報を座標として検出することができる。この押下検出手段３１ａは、任意の位置が押下されたのを検出したり、押下された状態で上下方向及び左右方向に所定の操作距離又は操作速度で操作されたのを検出することが可能で、操作された情報を後述する座標処理手段３１ｂに伝達する。
【００２０】
座標処理手段３１ｂは、押下検出手段３１ａにより操作された情報を処理する手段であって、押下検出手段３１ａで操作された位置情報又は押下された状態で所定の操作距離又は操作速度の情報の処理を行う。ここで、座標処理手段３１ｂは、押下検出手段３１ａを押下した状態で操作された情報を演算処理した後、後述する演算制御装置４０に情報を伝達する。
【００２１】
演算制御装置４０は、操作装置３０の座標処理手段３１ｂで処理された情報を基にウィンドレギュレータ２０に備える昇降モータ２４ｃの駆動量を演算し制御する。
【００２２】
次に、本発明のウィンドガラス昇降システム１０は、図２に示すように、乗員が操作装置のタッチパネル３１を操作することで、ウィンドレギュレータ２０を駆動しウィンドガラス２１ａを昇降させることが可能であって、ウィンドガラス２１ａが閉鎖してある状態から任意の位置まで開放する手順を説明する。
【００２３】
閉鎖状態であるウィンドガラス２１ａは、乗員が操作装置３０の任意の位置に触れることで下降を開始する。ここで、操作装置３０の押下検出手段３１ａは、触れられた画面位置の情報を座標として検出し座標処理手段３１ｂを介して演算制御装置４０に情報を伝達する。
【００２４】
演算制御装置４０は、操作装置３０で得られた情報を演算した後、ウィンドレギュレータ２０に備える昇降モータ２４ｃに制御情報を伝達することで、リフトアーム２３を駆動し可動レール２１を下降してウィンドガラス２１ａを下降する。ここで、ウィンドガラス２１ａは、演算制御装置４０により演算された信号を昇降モータ２４ｃのパルスセンサで適切に判断して昇降モータ２４ｃを回転させることが可能であるため、任意の位置までウィンドガラス２１ａを開放することができる。
【００２５】
また、本発明のウィンドガラス昇降システム１０は、ウィンドガラス２１ｃを下降することだけでなく、ウィンドガラス２１ｃを上昇させることも可能であって、任意の位置ウィンドガラス２１ａが開放された状態において、ウィンドガラス２１ａ閉鎖方向の位置を新たに選択することで、ウィンドガラス２１ａをウィンドレギュレータ２０で上昇させる。この時、押下検出手段３１ａがウィンドガラス２１ａの上昇位置を検出し、座標処理手段３１ｂを介して演算制御装置４０に情報を伝達することで、新たに選択された位置までウィンドガラス２１ａを上昇させる。
【００２６】
次に、図３に示すように、閉鎖状態であるウィンドガラス２１ａを最も下の位置まで開放するまでの手順について説明する。ここで、乗員は操作装置３０の押下検出手段３１ａを押下した状態で所定の操作距離又は操作速度で操作する。
【００２７】
閉鎖状態であるウィンドガラス２１ａは、乗員が操作装置３０の押下検出手段３１ａを押下した状態で所定の操作距離又は操作速度で上から下へ操作することで下降を指示する。すると、座標処理手段３１ｂは、操作距離又は操作速度の情報からウィンドガラス２１ａを最も下の位置まで開放する信号を演算制御装置４０に伝達する。
【００２８】
演算制御装置４０は、操作装置３０で得られた情報を演算した後、ウィンドレギュレータ２０に備える昇降モータ２４ｃに伝達することで、リフトアーム２３を駆動し可動レール２１を下降してウィンドガラス２１ａを下降する。ここで、ウィンドガラス２１ａは、演算制御装置４０により演算された信号を昇降モータ２４ｃのパルスセンサで適切に判断して昇降モータ２４ｃを回転させることが可能であるため、最も下の位置までウィンドガラス２１を下降することができる。
【００２９】
また、本発明のウィンドガラス昇降システム１０は、閉鎖状態であるウィンドガラス２１ａを最も下の位置まで開放するだけでなく、最も下の位置から閉鎖状態にウィンドガラス２１ａを上昇させることも可能であって、操作装置３０の押下検出手段３１ａを押下した状態で所定の操作距離又は操作速度で下から上へ操作することでウィンドガラス２１ａの上昇を指示する。すると、座標処理手段３１ｂは、操作距離又は操作速度の情報からウィンドガラス２１ａを閉鎖する信号を演算制御装置４０に伝達する。信号を受け取った演算装置４０は、昇降モータ２４ｃの駆動を制御してウィンドガラス２１を閉鎖する。
【００３０】
ここで、閉鎖状態から最も下の位置又は最も下の位置から閉鎖状態へ移動するウィンドガラス２１ａは、昇降中に操作装置３０が操作されたり、物が挟まったりしたのを検知すると昇降動作を一時中断する構造とする。
【００３１】
上記の実施例では、操作装置３０をドアパネルの内側の乗員が操作しやすい位置に設けた例を説明したが、操作装置３０をウィンドガラス２１ａに直接設けることも可能である。この場合、透過性の高いタッチパネル３１を設置する。
【符号の説明】
【００３２】
１０  ウィンドガラス昇降システム
２０  ウィンドレギュレータ
２１  可動レール
２１ａ  ウィンドガラス
２３  リフトアーム
２３ａ  メインアーム
２３ｂ  サブアーム
３０  操作装置
３１  タッチパネル
３１ａ  押下検出手段
３１ｂ  座標処理手段
４０  演算制御装置
１００  ドアパネル
【図１】
2012092635.tif 000003
【図２】
2012092635.tif 000004
【図３】
2012092635.tif 000005